(57)【特許請求の範囲】
【請求項１】
光学フィルム上に形成された像およびプリント物を被写体として撮影可能な撮像装置において、
光学フィルムを設置し得る光学フィルム設置面を照明する照明光の光軸である第１光軸が該光学フィルム設置面に直交するように、該照明光を照射する光学フィルム撮影用光源と、
前記照明光を撮影光学系の光軸である第２光軸の方向に反射する角度で、かつ前記第１光軸と前記第２光軸とが交差する位置に配置されるミラーを有し、前記撮影光学系に対して取外し自在な光学アタッチメントと、
プリント物を設置し得ると共に、前記第２光軸上にかつ該第２光軸に対して垂直に配置されたプリント物設置面と、を備え、
前記光学フィルム設置面と前記プリント物設置面とを９０°未満の角度で配置し、
前記光学アタッチメントが取外され、かつ前記光学フィルム設置面に光学フィルムが設置されていない際に、前記光学フィルム撮影用光源によって前記プリント物設置面を直接照明する、
ことを特徴とする撮像装置。
【発明の詳細な説明】
【０００１】
【産業上の利用分野】
本発明は、光学フィルム上に形成された像およびプリント物の撮影が可能な撮像装置に関するものである。
【０００２】
【従来の技術】
図９は従来の撮像装置の概略構成を示したもので、同図（ａ）は正面図、（ｂ）はプリント物撮影時の正面図である。図９において、１は光学フィルム撮影用光源、２は光学フィルム、３はプリント物、４は光学ブロック、５は撮像ブロック、１２はプリント物照明用の別光源、１６は光学アタッチメント、１７は撮影用ミラー、１９は撮像装置の本体である。
【０００３】
従来、光学フィルム上に形成された像の撮影および、銀塩フィルム（ネガ、ポジ）等に撮影された像をプリント写真としたプリント物の撮影が可能な撮像装置において、光学フィルム上に形成された像の撮影時は図９（ａ）に示すように、光学フィルム２をはさんで撮影光学系に対向する位置に配置された光学フィルム撮影用光源１によって光学フィルム２を照明し、光学フィルム２を透過した光を光学ブロック４内の撮影光学系に導き、撮像ブロック５内の撮像素子で結像した像を撮影する。
【０００４】
プリント物の撮影時は、図９（ｂ）に示すように、同図（ａ）に示した光学アタッチメント１６を取りはずす等の操作により撮影面を切換え、プリント物設置面のプリント物３の像を光学ブロック４内の撮影光学系にとり込み、撮像ブロック５内の撮像素子で結像した像を撮影する。
【０００５】
また、図１０は従来の撮像装置の一例を示したもので、同図（ａ）は光学ユニット付の場合の正面図、同図（ｂ）は光学ユニットなしの場合の正面図である。
【０００６】
図１０において、２１は光学ブロック、２２は撮像ブロック、２３は信号処理ボード、２４は光学ユニット、２４ａはレンズ部、２４ｂはミラー部、２６は光源、２７は反射板、２８はフィルム、２９はフィルムホルダ、３０はフィルムガイドである。図１０に示した装置は、ミラー部２４ｂとレンズ部２４ａを有し、本体に着脱可能なユニットを、フィルム撮影用の独立したひとつの光学ユニット２４として構成したものである。
【０００７】
そして、上記の構成とすることにより、光学ユニット２４が着の状態でフィルム等の撮影、また光学ユニット２４が脱の状態で立体物や風景の撮影が簡単な操作によって可能となった。
【０００８】
【発明が解決しようとする課題】
しかしながら、上記従来例においては、光学フィルム上に形成された像の撮影時には内蔵された光源によって照明される構造であるが、プリント物撮影時の照明に関しては、何ら考慮されていなかった。
【０００９】
その為、プリント物の撮影時に撮影者は、自ら別光源を用意し、プリント物の照明を行わなければならないという欠点があった。また、装置内にプリント物の撮影用の光源も同時に内蔵する場合でも、装置内に複数の光源が存在する為、装置の複雑化・大型化・コストアップなどの欠点を生じてしまう構造であった。
【００１０】
なお、上記図１０の従来例では、フィルムを撮像する場合にミラーを介している為、装置のコンパクト化は達成できるが、鏡像が出力されてしまうという欠点があった。つまり、図８（ａ）に示す様にミラーを介して被写体を見た場合には図８（ｂ）（イ）の正常な被写体が図８（ｂ）（ロ）のような左右が逆の像として観察されてしまうということである。
【００１１】
そして通常は、
▲１▼  フィルムの表裏を逆に設置する
▲２▼  鏡像を出力するスイッチを設ける
等の対策が施されているのであるが、これらの対策もそれぞれ欠点を有している。
【００１２】
▲１▼  フィルムの表裏を逆にして設置する場合。
【００１３】
この方法は、前述の図１０（ａ），（ｂ）に示したように特別な装置や機構を必要とせずフィルムの設置を表裏逆にするだけの簡単で有効な対策である。
【００１４】
しかし、このように始めから左右逆の像を出力する方法では、任意の構図の出力を得るために像（フィルム）を移動する場合に不都合が生じる。つまり、実際のフィルムを右に移動させると装置から出力された像は左に移動するという極めて不自然な状態となり、使用者が所望の構図を得ることの困難な使い勝手の悪い装置になってしまうのである。
【００１５】
▲２▼  鏡像を出力するスイッチを設けた場合。
【００１６】
図１１（ａ），（ｂ）に例を示す。図１１は従来の撮像装置の他の一例を示したもので、同図（ａ）はフィルム撮影時の正面図、同図（ｂ）は風景撮影時の正面図である。
【００１７】
図１１（ａ）の場合、鏡像出力である出力切換スイッチ３１はＯＮになっており、同図（ｂ）の場合、鏡像出力である出力切換スイッチ３１はＯＦＦである。
【００１８】
風景撮影時は通常出力を出力とし、フィルム撮影時はミラーを介する鏡像であるのでその像の鏡像を出力とする。この場合、フィルムの設置状態は正常であり、実際のフィルムの移動方向と出力された像の移動方向は一致する。
【００１９】
しかし、使用者にとっては光学ユニットの着脱の度にスイッチのＯＮ／ＯＦＦの切換をするという煩わしい操作が必要となる。また、この操作を忘れた場合には不本意な、左右が逆の像が出力されることになる。
【００２０】
本発明はかかる課題を解決するためになされたもので、撮像装置内の光源を１つにして装置全体を小型化し、かつ簡単な構成にすることを可能とした撮像装置を得ることを目的とする。
【００２１】
【課題を解決するための手段】
上記の各目的を達成するために、本発明の撮像装置は、特に上記▲１▼の目的に対しては光学フィルム撮影用光源によってプリント物を照明して撮影することであり、そのためには必要に応じて光学フィルム設置面とプリント物設置面を９０°未満の角度で配置するものであり、また、▲２▼の目的に対しては光学ユニットの着脱を検出するスイッチを設けその検出信号に基いて出力信号を補正するものであり、かつ出力信号の補正は、通常出力と鏡像出力の切換によって行うことができるものである。
【００２２】
【作用】
本発明によれば、光学アタッチメントが取外され、かつ光学フィルム設置面に光学フィルムが設置されていない際に、光学フィルム撮影用の光源によってプリント物を直接照明する構造としたことにより、光学フィルムとプリント物の両方の照明を単一の光源で行えるようにしたものである。
【００２３】
また、このとき光学フィルムの設置面とプリント物の設置面のなす角度を９０°未満とすることで、ミラー等の部材を介することなく簡単な構成とすることができる。
【００２４】
なお、本発明の撮像装置は、光学ユニットを着脱する検出スイッチを設けることによりこのスイッチの出力に基いて像の通常出力、鏡像出力を切換えるようにもなっている。
【００２５】
【実施例】
図１は、本発明の一実施例を示したもので、同図（ａ）は光学フィルム上の像の撮影時の、また（ｂ）はプリント物の撮影時の実施例を示す正面図である。また、図２（ａ）は図１（ａ）の斜視図、図２（ｂ）は図１（ｂ）の斜視図である。
【００２６】
図１において、図９と同一符号は同一または同一の機能を有するものであるので、その説明は省略する。６は光学フィルム撮影用光学アタッチメント、７は撮影用ミラー、８は照明用ミラー、９は本体、１０は光学フィルム設置面、１１はプリント物設置面、ＣＴ１は第１光軸、ＣＴ２は第２光軸をそれぞれ示している。
【００２７】
まず図１（ａ）について説明する。
【００２８】
本体９に内蔵されている光学フィルム撮影用光源１を点灯すると、光学フィルム設置面１０を照明する光（即ち照明光）の光軸である第１光軸ＣＴ１が該光学フィルム設置面１０に直交するように該光を照射し（発し）、前記光源１から発せられた光はあらかじめ光学フィルム設置面１０に設置されている光学フィルム２を透過し、光学アタッチメント６に入る。
【００２９】
この光は、光学アタッチメント６内において、前記光源１から発せられた光を光学ブロック４内の撮影光学系の光軸である第２光軸ＣＴ２の方向に反射する角度で、かつ第１光軸ＣＴ１と第２光軸ＣＴ２とが交差する位置に配置された撮影用ミラー７で反射され、光学フィルム撮影用レンズで調整された後、光学ブロック４に達する。そして、光学ブロック４内の撮影光学系を通過し、撮像ブロック５内の撮像素子に結像され撮影される。
【００３０】
また図１（ｂ）の場合は、光学アタッチメント６は取外され、かつ光学フィルム２は光学フィルム設置面１０に設置されていない。また、プリント物設置面１１は、第２光軸ＣＴ２上にかつ該第２光軸ＣＴ２に対して垂直に配置されている。故に、プリント物設置面１１に設置されたプリント物３の像は直接光学ブロック４に取り込まれ、光学ブロック４内の撮影光学系を通過し、撮像ブロック５内の撮像素子に結像され撮影される。
【００３１】
このとき撮影の為の照明は、光学フィルム撮影用光源１を点灯することにより、矢印で示される方向に照射される光線によって直接行われる為、外部光源等の別光源を用いることなく十分な照明が得られる。
【００３２】
また、光学フィルム撮影用光源１によってプリント物３を照明する方法としては、図４に示す方法も考えられる。
【００３３】
図４は本発明の一参考例を示す正面図である。
【００３４】
この図４に示す一参考例（本発明の実施の形態から外れる）の場合には照明用ミラー８等の部材を必要とする。一方、図３にその説明図を示す本実施例では、第１光軸ＣＴ１が直交する光学フィルム設置面１０と第２光軸ＣＴ２に垂直なプリント物設置面１１を９０°未満の角度で配置した構造を提案している。この様な構造とすれば、光学フィルム撮影用光源１からの照明光は、例えば図４に示す証明用ミラー８等の部材を必要とせず、直接プリント物３に達し、つまり直接照明することができるので、装置の簡単化・小型化・コストダウンに関してさらに大きな効果が得られる。
【００３５】
図５は本発明の他の参考例を示すもので、同図（ａ）はフィルム撮影時の、同（ｂ）は風景撮影時のそれぞれ正面図である。また、同図において、図１０と同一符号は同一の機能を示すので、その説明は省略する。
【００３６】
まず、図５（ｂ）に示す風景等の撮影時には、光学ユニット２４は着いていない状態であり、また、光源２６も点灯してなく、ビデオ撮影と同様、風景等の外部の像は光学ブロック２１を通過し、撮像ブロック２２内の撮像素子上で結像し、撮像される。このとき、ユニット検出スイッチ２５はＯＦＦであり、撮像された正常な像はそのまま出力される。
【００３７】
次に図５（ａ）に示すフィルムの撮影時について説明する。
【００３８】
光学ユニット２４は本体に取り付けられている。光源２６は点灯し、反射板２７で集められた光は、フィルム２８を透過し、フィルム上の像は光学ユニット２４へ導かれる。光学ユニット２４内に入った像は、まずミラー部２４ｂで反射され光学ブロック２１の方向に向きを変える。このとき像は鏡像となる。
【００３９】
その後、像はレンズ部２４ａで調節され、風景撮影時と同様に光学ブロック２１を通過し、撮像素子上で結像し、撮像される。ここで撮像された像は鏡像である。一方、ユニット検出スイッチ２５は光学ユニット２４が取り付けられたことによりＯＮとなっており、これに基づき、撮像された像（鏡像）の鏡像が出力される。結局、出力されるのは鏡像の鏡像である正視像となる。
【００４０】
尚、図６（ａ），（ｂ）は図５（ａ），（ｂ）に示すそれぞれの斜視図である。
【００４１】
図７は本発明のさらに他の参考例を示す正面図であり、光学ユニットを本体に取り付けた場合、ユニットの一部が本体内に入り込みユニット検出スイッチ３５を押す構造となっている。
【００４２】
このときの動作は、前記図５、図６に示した他の参考例と同様であるが、
▲１▼  光学ユニットのフランジ部を無くすことで装置のコンパクト化がはかれる。
▲２▼  検出部が装置内部にあるため外力による誤動作を防ぐことができるという構造となっている。
【００４３】
【発明の効果】
以上説明したように、本発明の請求項１に記載の光学フィルム上に形成された像およびプリント物を被写体として撮影可能な撮像装置において、光学フィルムを設置し得る光学フィルム設置面を照明する照明光の光軸である第１光軸が該光学フィルム設置面に直交するように、該照明光を照射する光学フィルム撮影用光源と、照明光を撮影光学系の光軸である第２光軸の方向に反射する角度で、かつ第１光軸と第２光軸とが交差する位置に配置されるミラーを有し、撮影光学系に対して取外し自在な光学アタッチメントと、プリント物を設置し得ると共に、第２光軸上にかつ該第２光軸に対して垂直に配置されたプリント物設置面と、を備え、光学フィルム設置面とプリント物設置面とを９０°未満の角度で配置し、光学アタッチメントが取外され、かつ光学フィルム設置面に光学フィルムが設置されていない際に、光学フィルム撮影用光源によってプリント物設置面を直接照明することを特徴とする撮像装置としたことにより、ハーフミラーの如き部材を用いることなく、単一光源で光学フィルムの照明とプリント物の直接照明とを可能にすることができ、使い勝手の良さと同時に装置の簡単化・小型化・コストダウンが図れる。
【図面の簡単な説明】
【図１】本発明の一実施例を示したもので、（ａ）は光学フィルム上の像の撮影時の、正面図、また（ｂ）はプリント物の撮影時を示す正面図である。
【図２】（ａ）は図１（ａ）の斜視図、（ｂ）は図１（ｂ）の斜視図である。
【図３】本発明の一実施例の説明図であり正面図を示している。
【図４】本発明の一参考例を示す正面図である。
【図５】本発明の他の参考例を示すもので、（ａ）はフィルム撮影時の正面図、（ｂ）は風景撮影時の正面図である。
【図６】図５（ａ），（ｂ）に示したそれぞれの斜視図である。
【図７】本発明のさらに他の参考例を示す正面図である。
【図８】（ａ）は鏡を使った観察の例を示した図であり、（ｂ）は通常像と鏡像を説明するための図である。
【図９】従来の撮像装置の概略構成を示したもので、（ａ）は正面図、（ｂ）はプリント物撮影時の正面図である。
【図１０】従来の撮像装置の一例を示したもので、（ａ）は光学ユニット付の場合の正面図、（ｂ）は光学ユニットなしの場合の正面図である。
【図１１】従来の撮像装置の他の一例を示したもので、（ａ）はフィルム撮影時の正面図、（ｂ）は風景撮影時の正面図である。
【符号の説明】
１  光学フィルム撮影用光源
２  光学フィルム
３  プリント物
４  光学ブロック
５  撮像ブロック
６，１６  光学アタッチメント
７，１７  撮影用ミラー
８  照明用ミラー
９，１９  本体
１０  光学フィルム設置面
１１  プリント物設置面
１２  別光源
２１  光学ブロック
２２  撮像ブロック
２３  信号処理ボード
２４  光学ユニット
２４ａ  レンズ部
２４ｂ  ミラー部
２５，３５  ユニット検出スイッチ
２６  光源
２７  反射板
２８  フィルム
２９  フィルムホルダ
３０  フィルムガイド
３１  出力切換スイッチ
【図１】
0003634384.tif 000002
【図２】
0003634384.tif 000003
0003634384.tif 000004
【図３】
0003634384.tif 000005
【図４】
0003634384.tif 000006
【図５】
0003634384.tif 000007
0003634384.tif 000008
【図６】
0003634384.tif 000009
0003634384.tif 000010
【図７】
0003634384.tif 000011
【図８】
0003634384.tif 000012
0003634384.tif 000013
【図９】
0003634384.tif 000014
0003634384.tif 000015
【図１０】
0003634384.tif 000016
0003634384.tif 000017
【図１１】
0003634384.tif 000018
0003634384.tif 000019